(57)【特許請求の範囲】
【請求項１】
検査用機器を有する検査設備を接続した複数の検査用端末器と、これらの検査用端末器にダウンロードされるべき所定の検査指示データを格納した管理用サーバとを通信ネットワークを通じて接続して構成した検査システムであって、
上記管理用サーバは、グローバルデータフォルダと複数のローカルデータフォルダとを備えており、上記グローバルデータフォルダには、全ての検査用端末器において共通して使用する検査指示データをグローバルデータとして格納する一方、各ローカルデータフォルダには、各検査用端末器毎に独立して使用する検査指示データをローカルデータとして格納した構成とした検査システム。
【請求項２】
請求項１において、
上記検査用端末器を増設したときには、上記管理用サーバは、その検査用端末器に対応するローカルデータフォルダを新規作成し、そのローカルデータフォルダに、増設した検査用端末器に対応する検査指示データを格納させる構成とした検査システム。
【請求項３】
請求項２において、
上記管理用サーバは、その時点で存在するローカルデータフォルダをコピーすることによって、増設した検査用端末器に対応するローカルデータフォルダを新規作成でき、新規作成したローカルデータフォルダには、コピーしたローカルデータフォルダの検査指示データが格納されており、その検査指示データを編集することによって、増設した検査用端末器に対応する検査指示データが新規作成できる構成とした検査システム。
【請求項４】
請求項１〜請求項３のいずれかにおいて、
上記管理用サーバは、検査用プログラムフォルダを更に備えており、この検査用プログラムフォルダには、各検査用端末器にダウンロードされるべき所定の検査用プログラムが格納されている構成とした検査システム。
【請求項５】
請求項１〜請求項４のいずれかにおいて、
各検査用端末器は、上記管理用サーバにアクセスして、各フォルダのコピー、各フォルダ内容の編集ができる構成とした検査システム。
【発明の詳細な説明】
【０００１】
【発明の属する技術分野】
本発明は、検査用機器を有する検査設備を接続した複数の検査用端末器と、これらの検査用端末器にダウンロードされるべき所定の検査指示データを格納した管理用サーバとを通信ネットワークを通じて接続して構成した検査システムに関する。
【０００２】
【従来の技術】
近時、工場などにおいて、同一ワークを検査する検査システムが広く使用されており、このような検査システムは、図７に示すような構成をしている。
【０００３】
このものでは、検査用機器を有する検査設備３００（＃１〜＃３）を接続した複数の検査用端末器２００（＃１〜＃３）に、ＬＡＮなどの通信ネットワークＮを通じて、管理用サーバ１００を接続している。
【０００４】
検査用端末器２００のそれぞれには、所定の検査指示データ２０１（＃１〜＃３）と、所定の検査用プログラム２０２（＃１〜＃３）が格納されており、それぞれの検査指示データ２０１と検査用プログラム２０２とに基づいて、検査設備３００を作動させ、各種の検査を行い、それぞれの検査結果は管理用サーバ１００に格納される。
【０００５】
【発明が解決しようとする課題】
ところが、上記した従来の検査システムでは、検査指示データや検査用プログラムをそれぞれの検査用端末器に格納しているため、これらの変更をする場合、それぞれの検査用端末器毎に行わなければならず、メンテナンス性が悪かった。
【０００６】
本発明は、上記事情を考慮してなされたものであり、検査指示データや検査用プログラムを一元管理できるようにして、データ変更などのメンテナンス性を向上させることのできる検査システムを提供することを目的としている。
【０００７】
【課題を解決するための手段】
上記目的を達成するため、本発明の請求項１に記載の検査システムでは、検査用機器を有する検査設備を接続した複数の検査用端末器と、これらの検査用端末器にダウンロードされるべき所定の検査指示データを格納した管理用サーバとを通信ネットワークを通じて接続して構成した検査システムであって、管理用サーバは、グローバルデータフォルダと複数のローカルデータフォルダとを備えており、グローバルデータフォルダには、全ての検査用端末器において共通して使用する検査指示データをグローバルデータとして格納する一方、各ローカルデータフォルダには、各検査用端末器毎に独立して使用する検査指示データをローカルデータとして格納した構成とした。
【０００８】
請求項２に記載の検査システムでは、検査用端末器を増設したときには、管理用サーバは、その検査用端末器に対応するローカルデータフォルダを新規作成し、そのローカルデータフォルダに、増設した検査用端末器に対応する検査指示データを格納させる構成とした。
【０００９】
請求項３に記載の検査システムでは、管理用サーバは、その時点で存在するローカルデータフォルダをコピーすることによって、増設した検査用端末器に対応するローカルデータフォルダを新規作成でき、新規作成したローカルデータフォルダには、コピーしたローカルデータフォルダの検査指示データが格納されており、その検査指示データを編集することによって、増設した検査用端末器に対応する検査指示データが新規作成できる構成とした。
【００１０】
請求項４に記載の検査システムでは、管理用サーバは、検査用プログラムフォルダを更に備えており、この検査用プログラムフォルダには、各検査用端末器にダウンロードされるべき所定の検査用プログラムが格納されている構成とした。
【００１１】
請求項５に記載の検査システムでは、各検査用端末器は、管理用サーバにアクセスして、各フォルダのコピー、各フォルダ内容の編集ができる構成とした。
【００１２】
【発明の実施の形態】
以下に、本発明の実施の形態について、図面とともに説明する。図１は、本発明の検査システムの要部構成の一例を示す図である。
【００１３】
このものでは、検査用機器を有する検査設備３（＃１〜＃３）を接続した複数の検査用端末器２（＃１〜＃３）と、管理用サーバ１とを、ＬＡＮなどの通信ネットワークＮを通じて接続している。
【００１４】
管理用サーバ１は、図２に示すように、グローバルデータフォルダ１１Ａと複数のローカルデータフォルダ１１Ｂとを備えており、グローバルデータフォルダ１１Ａには、全ての検査用端末器２において共通して使用する検査指示データをグローバルデータとして格納する一方、各ローカルデータフォルダ１１Ｂには、各検査用端末器２毎に独立して使用する検査指示データをローカルデータとして格納している。
【００１５】
なお、グローバルデータフォルダ１１Ａでは、検査指示データが複数の階層となって格納されている。また、ローカルデータフォルダ１１Ｂでは、検査指示データが複数の階層となって格納されており、いずれかの階層には、後述する処理で用いる所定の検査順番データを格納している。
【００１６】
グローバルデータフォルダ１１Ａのグローバルデータは、図示するように、全検査用端末器２によってダウンロードされ、また、ローカルデータフォルダ１１Ｂのローカルデータは、図示するように、それぞれ対応する検査用端末器２によってダウンロードされ、それぞれの検査用端末器２では、ダウンロードしたこれらのデータに基づいて各種の検査をする。
【００１７】
また、管理用サーバ１は、図示するように、検査用プログラムフォルダ１２を備えており、この検査用プログラムフォルダ１２には、各検査用端末器２にダウンロードされるべき所定の検査用プログラムを格納している。
【００１８】
続けて、各検査用端末器２におけるデータのダウンロード手順について、図３とともに説明する。すなわち、各検査用端末器２にて所定の検査指示操作があれば、管理用サーバ１にアクセスして、対応するローカルデータフォルダ１１Ｂ内より検査順番データを読み出し、更に、検査用プログラムフォルダ１２内の検査用プログラムを読み出す。
【００１９】
そして、各検査用端末器２では、読み出した検査順番データに基づいて検査指示データの読み出しをする。例えば、図３では、ローカルデータフォルダ１１Ｂ内の階層「レコード００１」、グローバルデータフォルダ１１Ａ内の階層「レコード００１」、ローカルデータフォルダ１１Ｂ内の階層「レコード００２」、ローカルデータフォルダ１１Ｂ内の階層「レコード００３」、グローバルデータフォルダ１１Ａ内の階層「レコード００２」、ローカルデータフォルダ１１Ｂ内の階層「レコード００３」の順で読み出す。
【００２０】
ここで、管理用サーバ１のグローバルデータ、ローカルデータの各々は、サーバ１での操作、あるいは、各検査用端末器２での操作によって編集することができる。例えば、図４に示すように、サーバ１、あるいは、サーバ１にアクセスした各検査用端末器２での操作によって、グローバルデータフォルダ１１Ａのグローバルデータを、新規のものに書き換えることができる。
【００２１】
また、図５に示すように、検査用端末器２、ここでは、検査用端末器２（＃４）を増設したときには、管理用サーバ１では、その検査用端末器２に対応するローカルデータフォルダ１１Ｂ（＃４）を新規作成し、そのローカルデータフォルダ１１Ｂ（＃４）に、増設した検査用端末器２（＃４）に対応する検査指示データを格納させる。
【００２２】
すなわち、検査用端末器２（＃４）を増設したときには、サーバ１、あるいは、サーバ１にアクセスした検査用端末器２（＃４）の操作によって、その時点で存在するローカルデータフォルダ１１Ｂ（＃１〜＃３）のいずれかをコピーすることによって、ローカルデータフォルダ１１Ｂ（＃４）を新規作成する。
【００２３】
すると、新規作成したローカルデータフォルダ１１Ｂ（＃４）には、コピーしたローカルデータフォルダ１１Ｂ、例えば、ローカルデータフォルダ１１Ｂ（＃３）の検査指示データが格納されており、サーバ１あるいは検査用端末器２（＃４）の操作によって、その検査指示データを編集することによって、検査用端末器２（＃４）に対応する検査指示データを新規作成する。
【００２４】
更に、検査用プログラムフォルダ１２の検査用プログラムは、図６に示すように、サーバ１、あるいは、サーバ１にアクセスした各検査用端末器２での操作によって、新規のものに書き換えることができる。
【００２５】
【発明の効果】
以上の説明からも理解できるように、本発明の請求項１に記載の検査システムでは、管理用サーバは、グローバルデータフォルダには、全ての検査用端末器において共通して使用する検査指示データをグローバルデータとして格納する一方、各ローカルデータフォルダには、各検査用端末器毎に独立して使用する検査指示データをローカルデータとして格納した構成としたので、検査指示データを管理用サーバで一元管理でき、データ変更などのメンテナンス性を向上させることができる上、検査指示データの変更の必要が発生した場合、グローバルデータであれば、一度の変更で全ての検査指示データの変更を可能にできる。
【００２６】
請求項２に記載の検査システムでは、検査用端末器を増設したときには、管理用サーバは、その検査用端末器に対応するローカルデータフォルダを新規作成し、そのローカルデータフォルダに、増設した検査用端末器に対応する検査指示データを格納させる構成としたので、管理用サーバの記憶容量に限界が生じない限り、幾らでも検査用端末器を増設することができ、利便である。
【００２７】
請求項３に記載の検査システムでは、管理用サーバは、その時点で存在するローカルデータフォルダをコピーすることによって、増設した検査用端末器に対応するローカルデータフォルダを新規作成でき、新規作成したローカルデータフォルダには、コピーしたローカルデータフォルダの検査指示データが格納されており、その検査指示データを編集することによって、増設した検査用端末器に対応する検査指示データが新規作成できるので、増設した検査用端末器に対応する、ローカルデータフォルダ、ローカルデータを容易に新規作成することができ、利便である。
【００２８】
請求項４に記載の検査システムでは、管理用サーバは、検査用プログラムフォルダを更に備えており、この検査用プログラムフォルダには、各検査用端末器にダウンロードされるべき所定の検査用プログラムが格納されているので、検査用プログラムを管理用サーバで一元管理でき、プログラム変更などのメンテナンス性を向上させることができる。
【００２９】
請求項５に記載の検査システムでは、各検査用端末器は、管理用サーバにアクセスして、各フォルダのコピー、各フォルダ内容の編集ができるので、システムのメンテナンス性が格段に向上する。
【図面の簡単な説明】
【図１】本発明の検査システムの要部構成の一例を示す図である。
【図２】データ格納、ダウンロード態様について説明するための図である。
【図３】データのダウンロード手順について説明するための図である。
【図４】検査指示データの書き換え態様について説明するための図である。
【図５】検査用端末器の増設時における検査指示データの新規作成態様について説明するための図である。
【図６】検査用プログラムの書き換え態様について説明するための図である。
【図７】従来の検査システムの構成を示す図である。
【符号の説明】
１・・・管理用サーバ
２・・・検査用端末器
３・・・検査設備
１１Ａ・・・グローバルデータフォルダ
１１Ｂ・・・ローカルデータフォルダ
１２・・・検査用プログラムフォルダ
Ｎ・・・通信ネットワーク
【図１】
0003649152.tif 000002
【図２】
0003649152.tif 000003
【図３】
0003649152.tif 000004
【図４】
0003649152.tif 000005
【図５】
0003649152.tif 000006
【図６】
0003649152.tif 000007
【図７】
0003649152.tif 000008